(57)【要約】【課題】衣服用ボタンに取り付けた磁石を損傷させることなく衣服のアイロン掛けを容易に行うことができ、衣服の布地に取り付けたとき安定した姿勢をとることができる装飾ボタンを提供する。【解決手段】円盤状の衣服用ボタン２１と、衣服用ボタン２１の表面を覆う円盤状の装飾カバー２２と、衣服用ボタン２１に収納されて保持された平板状でかつ環状の衣服用ボタン側磁石２３と、装飾カバー２２に収納されて保持された平板状でかつ環状の装飾カバー側磁石２４と、を備え、衣服用ボタン２１が平坦な裏面を有し、衣服用ボタン側磁石２３の内側で衣服用ボタン２１の中央部に中央部を貫通する少なくとも２つの糸通し孔が形成され、衣服用ボタン２１の円筒状の衣服用ボタン側周縁突起部２１ａの高さが衣服用ボタン側磁石の厚さより大きくなるよう衣服用ボタン側周縁突起部２１ａおよび衣服用ボタン側磁石を形成して配置する。【選択図】図２
2019141411.tif 000002
【特許請求の範囲】
【請求項１】
円盤状の衣服用ボタンと、前記衣服用ボタンの表面を覆う円盤状の装飾カバーと、前記衣服用ボタンに収納されて保持された平板状でかつ環状の衣服用ボタン側磁石と、前記装飾カバーに収納されて保持された平板状でかつ環状の装飾カバー側磁石と、を備え、
前記衣服用ボタンが平坦な裏面を有し、
前記衣服用ボタン側磁石の内側で衣服用ボタンの中央部に前記中央部を貫通する少なくとも２つの糸通し孔が形成され、
前記衣服用ボタンが、前記衣服用ボタンの周縁部に形成された円筒状の衣服用ボタン側周縁突起部を有し、前記装飾カバーが、前記衣服用ボタンの前記衣服用ボタン側周縁突起部に係合するようその周縁部に形成された円筒状の装飾カバー側周縁突起部を有し、前記衣服用ボタン側周縁突起部の高さが前記衣服用ボタン側磁石の厚さより大きくなるよう前記衣服用ボタン側周縁突起部および前記衣服用ボタン側磁石を形成して配置したことを特徴とする装飾ボタン。
【請求項２】
前記衣服用ボタンが、前記衣服用ボタンの中央部に突出して形成された円筒状の衣服用ボタン側係止部を有し、
前記装飾カバーが、前記衣服用ボタン側係止部を係止するようその中央部に突出して形成された円筒状の装飾カバー側係止部を有し、
前記衣服用ボタンが、前記衣服用ボタン側係止部と前記衣服用ボタン側周縁突起部の間に形成され、前記衣服用ボタン側磁石を収納する環状の衣服用ボタン側磁石収納溝を有し、前記装飾用カバーが、前記装飾カバー側係止部と前記装飾カバー側周縁突起部の間に形成され、前記装飾カバー側磁石を収納する環状の装飾カバー側磁石収納溝を有し、
前記装飾カバーが前記衣服用ボタンを覆い前記衣服用ボタンに結合されるとき、前記衣服用ボタン側係止部と前記装飾カバー側係止部が互いに結合するとともに前記衣服用ボタン側磁石と前記装飾カバー側磁石との間で作用する磁力によって前記衣服用ボタン側磁石と前記装飾カバー側磁石を互いに吸着させることにより、前記装飾カバーと前記衣服用ボタンを結合するようにした請求項１に記載の装飾ボタン。
【請求項３】
前記衣服用ボタン側係止部の高さが、前記衣服用ボタン側周縁突起部の高さとほぼ等しくなるよう前記衣服用ボタン側係止部と前記衣服用ボタン側周縁突起部を形成した請求項２に記載された装飾ボタン。
【請求項４】
前記衣服用ボタン側係止部の内径が前記装飾カバー側係止部の外径よりも僅かに大きく、前記装飾カバーが前記衣服用ボタンを覆い前記衣服用ボタンに結合されたとき、前記装飾カバー側係止部の外周面が前記衣服用ボタン側係止部の内周面に係合して前記衣服用ボタン側係止部と前記装飾カバー側係止部が結合する請求項２又は３に記載の装飾ボタン。
【請求項５】
前記衣服用ボタン側係止部と前記装飾カバー側係止部が結合手段により連結され、前記結合手段が、前記装飾カバー側係止部の外周部に形成された係合溝と、前記係合溝に係合するよう前記衣服用ボタン側係止部の内周部に形成された突起部と、から構成される請求項２から４までのいずれか一項に記載の装飾ボタン。
【請求項６】
前記衣服用ボタン側係止部の内径が、前記装飾カバー側係止部の外径よりも大きく、前記衣服用ボタン側係止部の高さが、前記装飾カバー側係止部の高さよりも高くなるよう前記衣服用ボタン側係止部と前記装飾カバー側係止部を形成し、前記装飾カバーが前記衣服用ボタンを覆い前記衣服用ボタンに結合され、前記装飾カバー側係止部が記衣服用ボタン側係止部内に位置したとき、布地に前記衣服用ボタンを留める糸が占める糸空間を確保するようにした請求項２から５までのいずれか一項に記載の装飾ボタン。
【請求項７】
前記衣服用ボタンの外側面と、前記装飾カバーの外側面にそれぞれ目印を付け、前記装飾カバーが前記衣服用ボタンを覆い前記衣服用ボタンに結合されるとき、前記目印を合わせた後前記装飾カバーおよび前記衣服用ボタンを相互に回転させることにより、前記装飾カバーと前記衣服用ボタンを結合する動作が円滑に行われるようにした請求項２から６までのいずれか一項に記載された装飾ボタン。
【請求項８】
前記糸通し孔が４つである請求項１から７までのいずれか一項に記載された装飾ボタン。
【発明の詳細な説明】
【技術分野】
【０００１】
本発明は、衣服用ボタンに装飾カバーが装着された装飾ボタン（以下、単に「装飾ボタン」ともいう）に関する。
【背景技術】
【０００２】
衣服用ボタンに装飾カバーを被せて装飾ボタンを構成することは既に知られている（例えば、特許文献１、特許文献２参照）。
【０００３】
特許文献１には、衣服に縫い付けられたボタンに被覆される装飾カバーが開示されている。この装飾カバーは、袋状のカバー本体と、カバー本体の表面に施された装飾部と、カバー本体の裏側に形成された開口部とを備えて構成されている。カバー本体は伸縮性のある樹脂材料より製造されている。開口部の径は、カバー本体が伸縮していない状態においてはボタンの径よりも小さくなっており、カバー本体が弾性変形して開口部が広げられた状態においてボタンの径よりも大きくすることができる。使用時には、ボタンに装飾カバーが取り付けられた状態で、衣服のボタンホールに通して衣服の重なり部分を留める。
【０００４】
特許文献２には、装飾が施された表層部材（装飾カバー）を取替え可能な装飾ボタンが開示されている。この装飾ボタンは、衣服への取付部を有する基板部材と、装飾が施されかつ基板部材に着脱可能に取り付けられる表層部材と、を備えている。表層部材には永久磁石が設けられ、基板部材には磁性部材が設けられている。基板部材と表層部材は磁力により結合し装飾ボタンが形成されるようになっている。
【先行技術文献】
【特許文献】
【０００５】
【特許文献１】登録実用新案第３１９４３２９号公報
【特許文献２】特開平９−２３８７１０号公報
【発明の概要】
【発明が解決しようとする課題】
【０００６】
しかしながら、特許文献１に記載の装飾ボタンにあっては、ボタンに装飾カバーを装着する際にカバー本体の開口部を指で広げながらボタンに被せなければならず、装着が容易でなかった。また、金属など剛性の高い材料からなる装飾カバーを装着することはできなかった。
【０００７】
また、特許文献２に記載の装飾ボタンにあっては、表層部材の永久磁石と基板部材に設けられた薄い鉄板とが磁力により結合される構成であり、結合力が十分ではなく、装飾カバーが脱落する懸念があった。特に、装飾カバーに高価な宝石などが取り付けられている場合には、装飾カバーの脱落を確実に防止する必要があった。
【０００８】
また、特許文献２に記載の装飾ボタンにあっては、衣服にアイロン掛けする場合に磁石が割れたり、損傷する恐れがあることから、基板部材から装飾カバーおよび永久磁石を取り外さなければならなかった。永久磁石が装飾カバーと別部品として構成されている場合には、永久磁石を装飾カバーから取り外すと共に、基板部材からも取り外す必要があり、特に、磁力の強い永久磁石の場合には取り外し作業が容易ではなかった。
【０００９】
本発明は、前述のような課題を解決するためになされたものであり、磁装飾カバーを衣服用ボタンに容易に装着できるとともに使用中に装飾カバーが衣服用ボタンから脱落し難く、しかも、衣服用ボタンと装飾カバーを吸着する磁石が割れたり、傷付いたりするなど、磁石を損傷させることなく衣服のアイロン掛けを容易に行うことができ、また、衣服用ボタンが衣服の布地に対して安定した姿勢で取り付けることができる装飾ボタンを提供することを目的とする。
【課題を解決するための手段】
【００１０】
本発明に係る装飾ボタンは、上記目的達成のため、（１）円盤状の衣服用ボタンと、前記衣服用ボタンの表面を覆う円盤状の装飾カバーと、前記衣服用ボタンに収納されて保持された平板状でかつ環状の衣服用ボタン側磁石と、前記装飾カバーに収納されて保持された平板状でかつ環状の装飾カバー側磁石と、を備え、前記衣服用ボタンが平坦な裏面を有し、前記衣服用ボタン側磁石の内側で衣服用ボタンの中央部に前記中央部を貫通する少なくとも２つの糸通し孔が形成され、前記衣服用ボタンが、前記衣服用ボタンの周縁部に形成された円筒状の衣服用ボタン側周縁突起部を有し、前記装飾カバーが、前記衣服用ボタンの前記衣服用ボタン側周縁突起部に係合するようその周縁部に形成された円筒状の装飾カバー側周縁突起部を有し、前記衣服用ボタン側周縁突起部の高さが前記衣服用ボタン側磁石の厚さより大きくなるよう前記衣服用ボタン側周縁突起部および前記衣服用ボタン側磁石を形成して配置した構成である。
【００１１】
この構成により、装飾カバーを容易に装着できるとともに、使用中に装飾カバーが脱落し難く、しかも、衣服用ボタンと装飾カバーを吸着する磁石を損傷させることなく、衣服のアイロン掛けを容易に行うことができる。また、磁石が割れたり、傷付いたりするなど、磁石を損傷させることなく衣服のアイロン掛けを容易に行うことができる。衣服用ボタンが平坦な裏面を有しているので、衣服用ボタンを衣服の布地に取り付けたとき、衣服用ボタンと衣服の布地が面接触できるので、衣服用ボタンが衣服の布地に対して安定した姿勢で取り付けることができる。
【００１２】
また、本発明に係る装飾ボタンは、上記（１）の構成に加え、（２）前記衣服用ボタンが、前記衣服用ボタンの中央部に突出して形成された円筒状の衣服用ボタン側係止部を有し、前記装飾カバーが、前記衣服用ボタン側係止部を係止するようその中央部に突出して形成された円筒状の装飾カバー側係止部を有し、前記衣服用ボタンが、前記衣服用ボタン側係止部と前記衣服用ボタン側周縁突起部の間に形成され、前記衣服用ボタン側磁石を収納する環状の衣服用ボタン側磁石収納溝を有し、前記装飾用カバーが、前記装飾カバー側係止部と前記装飾カバー側周縁突起部の間に形成され、前記装飾カバー側磁石を収納する環状の装飾カバー側磁石収納溝を有し、前記装飾カバーが前記衣服用ボタンを覆い前記衣服用ボタンに結合されるとき、前記衣服用ボタン側係止部と前記装飾カバー側係止部が互いに結合するとともに前記衣服用ボタン側磁石と前記装飾カバー側磁石との間で作用する磁力によって前記衣服用ボタン側磁石と前記装飾カバー側磁石を互いに吸着させることにより、前記装飾カバーと前記衣服用ボタンを結合するようにした構成である。
【００１３】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、前記衣服用ボタン側磁石および前記衣服用ボタン側磁石を、それぞれ前記衣服用ボタン側磁石収納溝および前記装飾カバー側磁石収納溝に収納させているとき、前記衣服用ボタン側磁石および前記衣服用ボタン側磁石を安定して保持することができる。
【００１４】
また、本発明に係る装飾ボタンは、上記（２）の構成に加え、（３）前記衣服用ボタン側係止部の高さが、前記衣服用ボタン側周縁突起部の高さとほぼ等しくなるよう前記衣服用ボタン側係止部と前記衣服用ボタン側周縁突起部を形成した構成である。
【００１５】
この構成により、アイロンが直接磁石に当たることを回避することができ、磁石が割れたり、傷付いたりするなど、磁石を損傷させることなく衣服のアイロン掛けをさらに容易に行うことができ、前記衣服用ボタンを衣服の布地に取り付けたとき、前記衣服用ボタンを安定した姿勢をとらせることができる。
【００１６】
また、本発明に係る装飾ボタンは、上記（２）又は（３）の構成に加え、（４）前記衣服用ボタン側係止部の内径が前記装飾カバー側係止部の外径よりも僅かに大きく、前記装飾カバーが前記衣服用ボタンを覆い前記衣服用ボタンに結合されたとき、前記装飾カバー側係止部の外周面が前記衣服用ボタン側係止部の内周面に係合して前記衣服用ボタン側係止部と前記装飾カバー側係止部が結合する構成である。
【００１７】
この構成により、磁石が割れたり、傷付いたりするなど、磁石を損傷させることなく衣服のアイロン掛けを容易に行うことができ、衣服の布地に取り付けたとき、前記衣服用ボタン側磁石および前記衣服用ボタン側磁石を安定して保持できるだけでなく、前記衣服用ボタン側係止部と前記装飾カバー側係止部を強固に結合することができる。
【００１８】
また、本発明に係る装飾ボタンは、上記（２）乃至（４）の構成に加え、（５）前記衣服用ボタン側係止部と前記装飾カバー側係止部が結合手段により連結され、前記結合手段が、前記装飾カバー側係止部の外周部に形成された係合溝と、前記係合溝に係合するよう前記衣服用ボタン側係止部の内周部に形成された突起部と、から構成される。
【００１９】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、簡単な構造で前記衣服用ボタン側係止部と前記装飾カバー側係止部を結合することができる。
【００２０】
また、本発明に係る装飾ボタンは、上記（２）乃至（４）の構成に加え、（６）前記衣服用ボタン側係止部の内径が、前記装飾カバー側係止部の外径よりも大きく、前記衣服用ボタン側係止部の高さが、前記装飾カバー側係止部の高さよりも高くなるよう前記衣服用ボタン側係止部と前記装飾カバー側係止部を形成し、前記装飾カバーが前記衣服用ボタンを覆い前記衣服用ボタンに結合され、前記装飾カバー側係止部が記衣服用ボタン側係止部内に位置したとき、布地に前記衣服用ボタンを留める糸が占める糸空間を確保するようにした構成である。
【００２１】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、前記糸空間内で糸が損傷されることがない。
【００２２】
また、本発明に係る装飾ボタンは、上記（２）乃至（６）の構成に加え、（７）前記衣服用ボタンの外側面と、前記装飾カバーの外側面にそれぞれ目印を付け、前記装飾カバーが前記衣服用ボタンを覆い前記衣服用ボタンに結合されるとき、前記目印を合わせた後前記装飾カバーおよび前記衣服用ボタンを相互に回転させることにより、前記装飾カバーと前記衣服用ボタンを結合する動作が円滑に行われる構成である。
【００２３】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、前記目印を合わせた後前記装飾カバーおよび前記衣服用ボタンを相互に回転させることができるので、前記装飾カバーと前記衣服用ボタンを結合する動作を円滑にかつ短時間に行うことができる。
【００２４】
また、本発明に係る装飾ボタンは、上記（１）乃至（７）の構成に加え、（８）前記糸通し孔が４つである請求項１から７までのいずれか一項に記載された装飾ボタン。
【００２５】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、糸通し孔が増えたので、糸通し作業を円滑にかつ短時間に行うことができる。
【００２６】
また、本発明に係る装飾ボタンは、上記（２）乃至（７）の構成に加え、（９）前記衣服用ボタン側係止部の内径が、前記装飾カバー側係止部の外径よりも大きく、前記衣服用ボタン側係止部の高さが、前記装飾カバー側係止部の高さよりも高くなるよう前記衣服用ボタン側係止部と前記装飾カバー側係止部を形成し、前記装飾カバーが前記衣服用ボタンを覆い前記衣服用ボタンに結合され、前記装飾カバー側係止部が記衣服用ボタン側係止部内に位置したとき、布地に前記衣服用ボタンを留める糸が占める糸空間を確保するようにした構成でもよい。
【００２７】
この構成により、磁石が割れたり、傷付いたりするなど、磁石を損傷させることなく衣服のアイロン掛けを容易に行うことができ、前記衣服用ボタンを衣服の布地に取り付けたとき、前記衣服用ボタンを安定した姿勢をとらせることができるだけでなく、前記糸空間内で糸が損傷されることがない。
【発明の効果】
【００２８】
本発明は、磁装飾カバーを衣服用ボタンに容易に装着できるとともに使用中に装飾カバーが衣服用ボタンから脱落し難く、しかも、衣服用ボタンと装飾カバーを吸着する磁石が割れたり、傷付いたりするなど、磁石を損傷させることなく衣服のアイロン掛けを容易に行うことができ、また、衣服用ボタンが衣服の布地に対して安定した姿勢で取り付けることができる装飾ボタンを提供することができる。
【図面の簡単な説明】
【００２９】
【図１】本発明の実施形態に係る装飾ボタンの側面図である。
【図２】図１のＡ−Ａ矢視断面図である。
【図３】本発明の実施形態に係る装飾ボタンの斜視図である。
【図４】本発明の実施形態に係る装飾ボタンの平面図である。
【図５】本発明の実施形態に係る装飾ボタンを構成する衣服用ボタンの斜視図である。
【図６】本発明の実施形態に係る装飾ボタンを構成する衣服用ボタンの平面図である。
【図７】本発明の実施形態に係る装飾ボタンを構成する衣服用ボタンの底面図である。
【図８】図７のＢ−Ｂ矢視断面図である。
【図９】本発明の実施形態に係る装飾ボタンを構成する装飾カバーの斜視図である。
【図１０】本発明の実施形態に係る装飾ボタンを構成する装飾カバーの平面図である。
【図１１】本発明の実施形態に係る装飾ボタンを構成する装飾カバーの平面図であり、装飾カバーを衣服用ボタンに対して垂直方向に移動させ、突起部を垂直溝に係合させた状態を示す。
【図１２】装飾カバーを衣服用ボタンに対して水平方向に移動させ、水平溝に係合させた状態を示す。
【発明を実施するための形態】
【００３０】
以下、本発明の実施の形態について、図面を参照して説明する。
【００３１】
本発明の実施形態における装飾ボタン１は、図１乃至図４に示すように、衣服用ボタン２１と、装飾カバー２２とからなっている。装飾カバー２２は、その表面にダイヤなど装飾物２を接着固定しており、後述するように衣服用ボタン２１の表面を覆って結合される。装飾ボタン１は、ワイシャツ、スーツ、背広、各種上着などの衣服の重なる部分の一方にあけたボタンホールやループにくぐらせることで、衣服の重なる部分を留めるものである。
【００３２】
図１乃至図４に示すように、本実施形態における衣服用ボタン２１は、平坦な裏面を有し、全体的に円盤状に形成されている。装飾カバー２２は、衣服用ボタン２１の表面を覆うものであり、全体として円盤状に形成されている。衣服用ボタン側磁石２３は、衣服用ボタン２１に収納されて保持されるものであり、平板状でかつ環状に形成されている。また、環状の装飾カバー側磁石２４は、装飾カバー２２に収納されて保持されるものであり、平板状でかつ環状に形成される。このように、衣服用ボタンが平坦な裏面を有しているので、衣服用ボタンを衣服の布地に取り付けたとき、衣服用ボタンと衣服の布地が面接触できるので、衣服用ボタンが衣服の布地に対して安定した姿勢で取り付けることができる。
【００３３】
衣服用ボタン２１は、図５乃至図８に詳示するように、その周縁部に形成された円筒状の衣服用ボタン側周縁突起部２１ａを有し、装飾カバー２２は、図９、図１０に詳示するように、衣服用ボタン２１の衣服用ボタン側周縁突起部２１ａに係合するようその周縁部に形成された円筒状の装飾カバー側周縁突起部２２ａを有する。
【００３４】
装飾カバー側周縁突起部２２ａの内径は、衣服用ボタン側周縁突起部２１ａの外径よりも僅かに大きく、装飾カバー２２が衣服用ボタン２１を覆い衣服用ボタン２１に結合されたとき、装飾カバー側周縁突起部２２ａの内周面が、隙間２６をもって、衣服用ボタン側周縁突起部２１ａの外周面に対向している（図２参照）。
【００３５】
図５乃至８に示すように、衣服用ボタン側周縁突起部２１ａの高さは、衣服用ボタン側磁石２３の厚さより大きくて衣服用ボタン側周縁突起部２１ａおよび衣服用ボタン側磁石２３を形成しており、このような厚さの衣服用ボタン側磁石２３を衣服用ボタン側周縁突起部２１ａに対して配置している。このように、衣服用ボタン側周縁突起部２１ａの高さが衣服用ボタン側磁石２３の厚さより大きくしているので、装飾カバー２２を衣服用ボタン２１から外した状態でアイロン掛けを行うとき、アイロンの一部が衣服用ボタン側磁石２３に当たることなくアイロン掛け作業を円滑にすることできるとともに、アイロン掛け作業の間、その熱や直接接触することに起因した衣服用ボタン側磁石２３が割れたり、傷付いたりするなど、損傷することがない。
【００３６】
衣服用ボタン側磁石２３の内側で衣服用ボタン２１の中央部には、この中央部を貫通して４つの糸通し孔２５が形成されている。本発明においては、衣服用ボタン２１を衣服に縫い付け固定するためには、糸通し孔２５は、少なくとも２つあればよい。なお、好ましくは、糸通し孔２５は、４つである。
【００３７】
衣服用ボタン２１は、図５乃至図８に詳示するように、衣服用ボタン２１の中央部に突出して形成された衣服用ボタン側係止部２１ｂを有し、装飾カバー２２は、図９、図１０に詳示するように衣服用ボタン側係止部２１ｂを係止するようその中央部に突出して形成された装飾カバー側係止部２２ｂを有する。
【００３８】
衣服用ボタン側係止部２１ｂと衣服用ボタン側周縁突起部２１ａは、衣服用ボタン側係止部２１ｂの高さが衣服用ボタン側周縁突起部２１ａの高さとほぼ等しくなるよう形成されている。このため、アイロン掛けをさらに円滑にすることできるとともに、アイロン掛けの間、その熱や直接接触することに起因した衣服用ボタン側磁石２３が割れたり、傷付いたりするなど、損傷することがない。
【００３９】
衣服用ボタン側係止部２１ｂおよび装飾カバー側係止部２２ｂは、衣服用ボタン側係止部２１ｂの内径が装飾カバー側係止部２２ｂの外径よりも大きくなるよう形成されている。このため、装飾カバー２２が衣服用ボタン２１を覆い衣服用ボタン２１に結合されたとき、装飾カバー側係止部２２ｂの外周面が衣服用ボタン側係止部２１ｂの内周面に係合して衣服用ボタン側係止部２１ｂと装飾カバー側係止部２２ｂが結合する。
【００４０】
本発明においては、装飾カバー側係止部２２ｂの内径が衣服用ボタン側係止部２１ｂの外径よりも大きくしてもよい。この場合も、装飾カバー２２が衣服用ボタン２１を覆い衣服用ボタン２１に結合されたとき、衣服用ボタン側係止部２１ｂの外周面が装飾カバー側係止部２２ｂの内周面に係合して衣服用ボタン側係止部２１ｂと装飾カバー側係止部２２ｂが結合される。
【００４１】
衣服用ボタン２１は、衣服用ボタン側係止部２１ｂと衣服用ボタン側周縁突起部２１ａの間に形成され、衣服用ボタン側磁石２３を収納する環状の衣服用ボタン側磁石収納溝２１ｃを有する。装飾カバー２２は、装飾カバー側係止部２２ｂと装飾カバー側周縁突起部２２ａの間に形成され、装飾カバー側磁石２４を収納する環状の装飾カバー側磁石収納溝２２ｃを有する。
【００４２】
以上のように構成されているので、装飾カバー２２が衣服用ボタン２１を覆い衣服用ボタン２１に結合されるときには、衣服用ボタン側係止部２１ｂと装飾カバー側係止部２２ｂが互いに結合するとともに衣服用ボタン側磁石２３と装飾カバー側磁石２４との間で作用する磁力によって衣服用ボタン側磁石２３と装飾カバー側磁石２４を互いに吸着させることにより、装飾カバー２２と衣服用ボタン２１を結合するようになされている。
【００４３】
ここで、前述のように磁力によって衣服用ボタン側磁石２３と装飾カバー側磁石２４を互いに吸着させるだけでなく、衣服用ボタン側係止部２１ｂと装飾カバー側係止部２２ｂを互いに強固に結合する結合手段は、以下の通りである。
【００４４】
図５に示すように、結合手段３０は、装飾カバー側係止部２２ｂの外周部に形成された係合溝２２ｂａと、係合溝２２ｂａに係合するよう衣服用ボタン側係止部２１ｂの内周部に形成された突起部２１ｂａと、から構成される。係合溝２２ｂａは、垂直方向の垂直溝２２ｂａ１と、これに直交する水平方向の水平溝２２ｂａ２からなっている。ここで言う垂直方向とは、衣服用ボタン２１と装飾カバー２２が互いに係合、離脱する方向、すなわち、開閉方向を指し、水平方向とは、衣服用ボタン２１と装飾カバー２２が互いに回転する方向を指す。
【００４５】
図９又は図１０に示す装飾カバー２２を衣服用ボタン２１に結合させるときには、まず装飾カバー２２を衣服用ボタン２１に対して垂直方向、すなわち、閉方向に移動させ、突起部２１ｂａを垂直溝２２ｂａ１に係合し（図１１参照）、次いで装飾カバー２２を衣服用ボタン２１に対して水平方向、すなわち、回転方向に移動させ、水平溝２２ｂａ２に係合する（図１２参照）。このように、装飾カバー２２を衣服用ボタン２１に対して垂直方向および水平方向、すなわち開閉方向と回転方向に移動させるだけで装飾カバー２２を衣服用ボタン２１に強固に結合することができる。
【００４６】
このように、磁力によって衣服用ボタン側磁石２３と装飾カバー側磁石２４を互いに吸着させるだけでなく、装飾カバー２２を衣服用ボタン２１に対して垂直方向と水平方向に移動させるだけで、衣服用ボタン側係止部２１ｂと装飾カバー側係止部２２ｂを互いに強固に結合することができるので、装飾カバー２２が衣服用ボタン２１から決して離脱することがない。
【００４７】
前述した係合溝２２ｂａと、突起部２１ｂａは、図示したものでは、それぞれ２個設けているが、本発明においては、１個でも、また、３個以上でもよい。
【００４８】
前述の例では、結合手段３０は、装飾カバー側係止部２２ｂの外周部に形成された係合溝２２ｂａと、係合溝２２ｂａに係合するよう衣服用ボタン側係止部２１ｂの内周部に形成された突起部２１ｂａと、から構成されているが、本発明においては、結合手段３０は以下のように構成されてもよい。すなわち、結合手段３０は、衣服用ボタン側係止部２１ｂの内周部に形成された係合溝と、この係合溝に係合するよう装飾カバー側係止部２２ｂの外周部に形成された突起部と、から構成されてもよい。
【００４９】
前述の例では、結合手段３０は、装飾カバー側係止部２２ｂの外周部に形成された係合溝２２ｂａと、係合溝２２ｂａに係合するよう衣服用ボタン側係止部２１ｂの内周部に形成された突起部２１ｂａと、から構成されているが、本発明においては、衣服用ボタン側係止部２１ｂの内周部と装飾カバー側係止部２２ｂの外周部の双方に相互に係合するねじ山を形成してもよい。
【００５０】
このため、装飾カバー２２が衣服用ボタン２１に対して正方向に回転するとき、ねじ効果により衣服用ボタン側係止部２１ｂと装飾カバー側係止部２２ｂが締まって強固に結合されるが、装飾カバー２２が衣服用ボタン２１に対して逆方向に回転するとき、ねじ効果から開放され衣服用ボタン側係止部２１ｂと装飾カバー側係止部２２ｂが緩み相互に離脱可能になる。
【００５１】
また、本実施形態においては、衣服用ボタン側係止部２１ｂと装飾カバー側係止部２２ｂは、衣服用ボタン側係止部２１ｂの内径が、装飾カバー側係止部２２ｂの外径よりも大きい場合、衣服用ボタン側係止部２１ｂの高さが、装飾カバー側係止部２２ｂの高さよりも高くなるよう形成されている。
【００５２】
このため、装飾カバー２２が衣服用ボタン２１を覆い衣服用ボタン２１に結合され、装飾カバー側係止部２２ｂが衣服用ボタン側係止部２１ｂ内に位置したとき、衣服用ボタン側係止部２１ｂの頂部が装飾カバー側係止部２２ｂの裏面に当たるため、衣服用ボタン２１の中央部の表面と装飾カバー側係止部２２ｂの先端の間に衣服の布地に衣服用ボタン２１を留める糸が占める糸空間を確保することができる。
【００５３】
本発明においては、衣服用ボタン２１と装飾カバー２２を結合させる直前に突起部２１ｂａを係合溝２２ｂａに簡単で円滑に係合させることができるように、衣服用ボタン２１の外周面と装飾カバー２２の外周面に目印２８，２９（図１参照）を付けている。これらの目印２８，２９を見ながら衣服用ボタン２１と装飾カバー２２を合わせることにより、衣服用ボタン２１と装飾カバー２２の開閉方向と回転方向の動作を円滑に行うことができ、その作業の迅速化を図ることができる。すなわち、衣服用ボタン２１の外側面と、装飾カバー２２の外側面にそれぞれ目印を付け、装飾カバー２２が衣服用ボタン２１を覆い衣服用ボタン２１に結合されるとき、目印２８，２９を合わせた後装飾カバー２２および衣服用ボタン２１を相互に回転させることにより、装飾カバー２２と衣服用ボタン２１を結合する動作が円滑に行われるようになっている。これらの目印２８，２９は、線や点など認識し易いものであれば如何なるものでもよい。
【００５４】
また、装飾カバー２２を外した状態、すなわち、衣服用カバー２１のみで、ワイシャツ、スーツ、背広、各種上着などの衣服の重なる部分の一方にあけたボタンホールやループにくぐらせることで、衣服の重なる部分を留めるものであってもよい。この場合、衣服用ボタン２１をくぐらせた後に好みに応じて異なる装飾物が接着固定された装飾カバーを取り付けることになる。
【００５５】
本発明においては、衣服用ボタン側係止部２１ｂの高さが衣服用ボタン側周縁突起部２１ａの高さとほぼ等しくなるよう衣服用ボタン側係止部２１ｂおよび衣服用ボタン側周縁突起部２１ａを形成している。このように、衣服用ボタン側係止部２１ｂの高さと衣服用ボタン側周縁突起部２１ａの高さに段差がないので、アイロン掛けを円滑にすることできる。アイロン掛けの間、その熱や直接接触することに起因した衣服用ボタン側磁石２３が割れたり、傷付いたりするなど、損傷することがない。
【産業上の利用可能性】
【００５６】
以上のように、本発明は、磁装飾カバーを衣服用ボタンに容易に装着できるとともに使用中に装飾カバーが衣服用ボタンから脱落し難く、しかも、衣服用ボタンと装飾カバーを吸着する磁石が割れたり、傷付いたりするなど、磁石を損傷させることなく衣服のアイロン掛けを容易に行うことができ、また、衣服用ボタンが衣服の布地に対して安定した姿勢で取り付けることができ、衣服用ボタンおよび衣服用ボタンに装飾カバーが装着された装飾ボタンに有用である。
【符号の説明】
【００５７】
２１        衣服用ボタン
２１ａ      衣服用ボタン側周縁突起部
２１ｂ      衣服用ボタン側係止部
２１ｂａ    突起部
２１ｃ      衣服用ボタン側磁石収納溝
２２        装飾カバー
２２ａ      装飾カバー側周縁突起部
２２ｂ      装飾カバー側係止部
２２ｂａ    係合溝
２２ｂａ１  垂直溝
２２ｂａ２  水平溝
２２ｃ      装飾カバー側磁石収納溝
２３        衣服用ボタン側磁石
２４        装飾カバー側磁石
３０        結合手段
２８、２９  目印
【図１】
2019141411.tif 000003
【図２】
2019141411.tif 000004
【図３】
2019141411.tif 000005
【図４】
2019141411.tif 000006
【図５】
2019141411.tif 000007
【図６】
2019141411.tif 000008
【図７】
2019141411.tif 000009
【図８】
2019141411.tif 000010
【図９】
2019141411.tif 000011
【図１０】
2019141411.tif 000012
【図１１】
2019141411.tif 000013
【図１２】
2019141411.tif 000014